(57)【特許請求の範囲】
【請求項１】
被写体を撮像して映像信号を出力する撮像手段と、
前記撮像手段より順次入力される映像信号を用いて動画画像データを生成し、順次生成される動画画像データを所定の記録単位毎に区切る信号処理手段と、
前記所定の記録単位に区切られた動画画像データ群を動画単位データとして記録する記録手段と、
前記信号処理手段による動画画像データ群の生成処理の停止指示を受け付ける生成停止受付手段と、
前記信号処理手段の状態を報知する報知手段と、を備え、
前記信号処理手段は、
前記生成停止受付手段が前記停止指示を受け付けると、該停止指示を受け付けた時点で前記信号処理手段によって生成された動画画像データを含む前記動画画像データ群の生成処理が完了するまで、前記撮像手段より入力される映像信号を用いて該生成処理を継続し、
前記報知手段は、
前記生成停止受付手段が前記停止指示を受け付けると、所定の固定期間、該停止指示を受け付けた旨を報知する、
映像信号記録装置。
【請求項２】
前記報知手段は、
前記信号処理手段による前記生成処理が完了すると、前記停止指示を受け付けた旨の報知を、該生成処理が完了した旨の報知に切り替える、
請求項１に記載の映像信号記録装置。
【請求項３】
前記報知手段は、
前記信号処理手段が前記生成処理を実行中の期間、該生成処理が実行中である旨を報知し、
前記生成停止受付手段が前記停止指示を受け付けると、前記生成処理が実行中である旨の報知を、該停止指示を受け付けた旨の報知に切り替える、
請求項１又は請求項２に記載の映像信号記録装置。
【請求項４】
前記報知手段は、
光を発する発光手段を有し、
前記発光手段の発光パターンを切り替えることにより、前記生成処理が実行中である旨の報知を、前記停止指示を受け付けた旨の報知に切り替える、
請求項３に記載の映像信号記録装置。
【請求項５】
前記報知手段は、
前記信号処理手段が前記生成処理を実行中の期間、該生成処理が実行中である旨を報知し、
前記生成停止受付手段が前記停止指示を受け付けると、前記生成処理が実行中である旨及び該停止指示を受け付けた旨の両方を報知する、
請求項１又は請求項２に記載の映像信号記録装置。
【請求項６】
前記信号処理手段による前記動画画像データの保持指示を受け付ける保持指示受付手段を更に備え、
前記信号処理手段は、
前記保持指示受付手段が前記保持指示を受け付けていない状態で前記生成停止受付手段が前記停止指示を受け付けると、該停止指示を受け付けた時点で前記信号処理手段によって生成された動画画像データを含む前記動画画像データ群の生成処理が完了するまで、前記撮像手段より入力される映像信号を用いて該生成処理を継続し、
前記保持指示受付手段が前記保持指示を受け付けた状態で前記生成停止受付手段が前記停止指示を受け付けると、該停止指示を受け付けた時点で前記信号処理手段によって生成された動画画像データを繰り返し用いて、該動画画像データを含む前記動画画像データ群の生成処理を継続し、
前記報知手段は、
前記保持指示受付手段が前記保持指示を受け付けていない状態で前記生成停止受付手段が前記停止指示を受け付けると、該停止指示を受け付けてから前記信号処理手段が前記生成処理を完了させるまでの期間、該停止指示を受け付けた旨を報知し、
前記保持指示受付手段が前記保持指示を受け付けた状態で前記生成停止受付手段が前記停止指示を受け付けると、前記生成処理が完了した旨を報知する、
請求項１から請求項５の何れか一項に記載の映像信号記録装置。
【請求項７】
前記保持指示受付手段の状態は、ユーザによる選択操作に応じて、前記保持指示を受け付けていない状態と前記保持指示を受け付けた状態との間で切り替わる、
請求項６に記載の映像信号記録装置。
【請求項８】
前記報知手段は、
前記信号処理手段が前記生成処理を実行している時間を報知する、
請求項１から請求項７の何れか一項に記載の映像信号記録装置。
【請求項９】
被写体を撮像して映像信号を出力する撮像ステップと、
順次入力される映像信号を用いて動画画像データを生成し、順次生成される動画画像データを所定の記録単位毎に区切る信号処理ステップと、
前記所定の記録単位毎に区切られた動画画像データ群を動画単位データとして記録する記録ステップと、
前記信号処理ステップでの前記動画画像データ群の生成処理の停止指示を受け付ける生成停止受付ステップと、
前記信号処理ステップの状態を報知する報知ステップと、を含み、
前記信号処理ステップにおいて、
前記生成停止受付ステップで前記停止指示を受け付けると、該停止指示を受け付けた時点で前記信号処理ステップで生成された動画画像データを含む前記動画画像データ群の生成処理が完了するまで、前記入力される映像信号を用いて該生成処理を継続し、
前記報知ステップにおいて、
前記生成停止受付ステップで前記停止指示を受け付けると、所定の固定期間、該停止指示を受け付けた旨を報知する、
映像信号記録方法。
【請求項１０】
前記報知ステップにおいて、
前記信号処理ステップで前記生成処理が完了すると、前記停止指示を受け付けた旨の報知を、該生成処理が完了した旨の報知に切り替える、
請求項９に記載の映像信号記録方法。
【請求項１１】
前記報知ステップにおいて、
前記信号処理ステップで前記生成処理を実行中の期間、該生成処理が実行中である旨を報知し、
前記生成停止受付ステップで前記停止指示を受け付けると、前記生成処理が実行中である旨の報知を、該停止指示を受け付けた旨の報知に切り替える、
請求項９又は請求項１０に記載の映像信号記録方法。
【発明の詳細な説明】
【技術分野】
【０００１】
本発明は、映像信号記録装置及び映像信号記録方法に関する。
【背景技術】
【０００２】
撮像された被写体の映像信号を順次圧縮して動画画像データ（動画データを構成する１フレーム分の画像データ）を生成し、生成された動画画像データを所定のフォーマットで記録する映像信号記録装置が知られている。この種の映像信号記録装置では、記録フォーマットとして、例えば、ＭＰＥＧ２（Moving Picture Experts Group 2）が使用される。ＭＰＥＧ２では、順次入力される映像信号から動画画像データが生成され、順次生成された所定フレーム数分の動画画像データ群が動画単位データ（ＧＯＰ（Group of Pictures）単位のデータであり、以下、便宜上「ＧＯＰデータ」と記す。）として生成され記録される。ＧＯＰデータには、通常１０フレーム以上の動画画像データが含まれている。１ＧＯＰに対応する動画の長さは約０．５秒である。例えば１０秒の動画データは、２０個のＧＯＰデータより構成される。
【０００３】
この種の映像信号記録装置では、１動画単位データが生成されている途中（例えば、１ＧＯＰデータの生成が開始された直後）に、ユーザによる動画撮影の停止指示が入力される場合がある。このとき、動画画像データの生成処理はすぐさま停止することはなく、ＧＯＰデータの生成に必要な数の動画画像データが揃うまで（例えば最大で約０．５秒）継続する。そのため、この停止指示が入力されてから動画画像データの生成処理が停止するまでの間に、ユーザの意図しない動画画像データが生成及び記録される虞がある。
【０００４】
このような問題を解決する映像信号記録装置として、特許文献１に記載の映像信号記録装置がある。特許文献１に記載の映像信号記録装置では、１動画単位データの生成処理の途中にユーザによる動画撮影の停止指示が入力されると、該１動画単位データの生成処理が完了するまでの動画画像データを所定の静止画像データに固定する構成が開示されている。これにより、ユーザの意図しない動画画像データが生成及び記録されてしまうことを防止できる。
【先行技術文献】
【特許文献】
【０００５】
【特許文献１】特開２００７−１０４５５０号公報
【発明の概要】
【発明が解決しようとする課題】
【０００６】
しかし、特許文献１に記載の映像信号記録装置には、動画の最後が静止画像（静止映像）となることから、動画撮影の環境や被写体によってはユーザが違和感を覚える動画が得られる等の欠点がある。
【０００７】
本発明は上記の事情に鑑みてなされたものであり、その目的とするところは、意図しない映像が記録されることをより好適に防止することにより、ユーザが違和感を覚えにくくなる映像信号記録装置及び映像信号記録方法を提供することである。
【課題を解決するための手段】
【０００８】
本願発明の映像信号記録装置は、被写体を撮像して映像信号を出力する撮像手段と、撮像手段より順次入力される映像信号を用いて動画画像データを生成し、順次生成される動画画像データを所定の記録単位毎に区切る信号処理手段と、所定の記録単位に区切られた動画画像データ群を動画単位データとして記録する記録手段と、信号生成手段による動画画像データ群の生成処理の停止指示を受け付ける生成停止受付手段と、信号処理手段の状態を報知する報知手段と、を備える。信号処理手段は、生成停止受付手段が停止指示を受け付けると、停止指示を受け付けた時点で信号処理手段によって生成された動画画像データを含む動画画像データ群の生成処理が完了するまで、撮像手段より入力される映像信号を用いて生成処理を継続し、報知手段は、生成停止受付手段が停止指示を受け付けると、停止指示を受け付けてから信号処理手段が生成処理を完了させるまでの期間、停止指示を受け付けた旨を報知する。
【０００９】
本実施形態によれば、ユーザは、報知手段による報知によって信号処理手段による動画画像データの生成処理が実行中であることを認識することができる。これにより、例えば、ユーザが生成処理の停止指示の入力後に、生成処理が実行中であるにも拘らず映像信号記録装置を動かしてしまい、意図しない映像が記録されてしまうという問題がより好適に防止できる。
【００１０】
報知手段は、信号処理手段による生成処理が完了すると、停止指示を受け付けた旨の報知を、生成処理が完了した旨の報知に切り替えてもよい。
【００１１】
報知手段は、信号処理手段が生成処理を実行中の期間、生成処理が実行中である旨を報知し、生成停止受付手段が停止指示を受け付けると、生成処理が実行中である旨の報知を、停止指示を受け付けた旨の報知に切り替えてもよい。
【００１２】
報知手段は、光を発する発光手段を有してもよい。この場合、報知手段は、発光手段の発光パターンを切り替えることにより、生成処理が実行中である旨の報知を、停止指示を受け付けた旨の報知に切り替える。
【００１３】
報知手段は、信号処理手段が生成処理を実行中の期間、生成処理が実行中である旨を報知し、生成停止受付手段が停止指示を受け付けると、生成処理が実行中である旨及び停止指示を受け付けた旨の両方を報知してもよい。
【００１４】
報知手段は、生成停止受付手段が停止指示を受け付けると、所定の期間、停止指示を受け付けた旨を報知してもよい。
【００１５】
映像信号記録装置は、信号処理手段による動画画像データの保持指示を受け付ける保持指示受付手段を更に備えてもよい。この場合、信号処理手段は、保持指示受付手段が保持指示を受け付けていない状態で生成停止受付手段が停止指示を受け付けると、停止指示を受け付けた時点で信号処理手段によって生成された動画画像データを含む動画画像データ群の生成処理が完了するまで、撮像手段より入力される映像信号を用いて生成処理を継続し、保持指示受付手段が保持指示を受け付けた状態で生成停止受付手段が停止指示を受け付けると、停止指示を受け付けた時点で信号処理手段によって生成された動画画像データを繰り返し用いて、動画画像データを含む動画画像データ群の生成処理を継続する。また、報知手段は、保持指示受付手段が保持指示を受け付けていない状態で生成停止受付手段が停止指示を受け付けると、停止指示を受け付けてから信号処理手段が生成処理を完了させるまでの期間、停止指示を受け付けた旨を報知し、保持指示受付手段が保持指示を受け付けた状態で生成停止受付手段が停止指示を受け付けると、生成処理が完了した旨を報知する。
【００１６】
保持指示受付手段の状態は、ユーザによる選択操作に応じて、保持指示を受け付けていない状態と保持指示を受け付けた状態との間で切り替わってもよい。
【００１７】
報知手段は、信号処理手段が生成処理手段を実行している時間を報知してもよい。
【００１８】
本願発明の映像信号記録方法は、被写体を撮像して映像信号を出力する撮像ステップと、順次入力される映像信号を用いて動画画像データを生成し、順次生成される動画画像データを所定の記録単位毎に区切る信号処理ステップと、所定の記録単位毎に区切られた動画画像データ群を動画単位データとして記録する記録ステップと、信号処理ステップでの動画画像データ群の生成処理の停止指示を受け付ける生成停止受付ステップと、信号処理ステップの状態を報知する報知ステップと、を含む。信号処理ステップにおいて、生成停止受付ステップで停止指示を受け付けると、停止指示を受け付けた時点で信号処理ステップで生成された動画画像データを含む動画画像データ群の生成処理が完了するまで、入力される映像信号を用いて生成処理を継続し、報知ステップにおいて、生成停止受付ステップで停止指示を受け付けると、停止指示を受け付けてから信号処理ステップで生成処理を完了させるまでの期間、停止指示を受け付けた旨を報知する。
【発明の効果】
【００１９】
本発明の実施形態によれば、意図しない映像が記録されることをより好適に防止することにより、ユーザが違和感を覚えにくくなる、映像信号記録装置及び映像記録方法が提供される。
【図面の簡単な説明】
【００２０】
【図１】本発明の実施形態にかかる映像信号記録装置の構成を示すブロック図である。
【図２】本発明の実施形態にかかる動画撮影のフローチャートである。
【図３】本発明の実施形態にかかる動画撮影のタイミングを説明するための図である。
【図４】本発明の実施形態にかかるＬＣＤの表示画面例である。
【図５】本発明の実施形態にかかるＬＣＤの表示画面例である。
【図６】本発明の実施形態にかかるＬＣＤの表示画面例である。
【図７】本発明の実施形態にかかるＬＣＤの表示画面例である。
【発明を実施するための形態】
【００２１】
（第１の実施形態）
以下、本発明の第１の実施形態の映像信号記録装置について図面を参照しながら説明する。以下においては、本発明の一実施形態として、デジタル一眼レフカメラについて説明する。なお、映像信号記録装置は、デジタル一眼レフカメラに限らず、例えば、ミラーレス一眼カメラ、コンパクトデジタルカメラ、ビデオカメラ、カムコーダ、タブレット端末、ＰＨＳ（Personal Handy phone System）、スマートフォン、フィーチャフォン、携帯ゲーム機など、動画撮影機能を有する別の形態の装置に置き換えてもよい。
【００２２】
図１は、本実施形態の映像信号記録装置１の構成を示すブロック図である。図１に示されるように、映像信号記録装置１は、ＣＰＵ（Central Processing Unit）１００、操作部１０２、レンズ駆動回路１０３、絞り・シャッタ駆動回路１０４、撮影レンズ１０６、絞り１０８、シャッタ１１０、固体撮像素子１１２、信号処理回路１１４、画像処理エンジン１１６、バッファメモリ１１８、エンコーダ１１９、デコーダ１２１、カード用インタフェース１２０、ＬＣＤ（Liquid Crystal Display）制御回路１２２、ＬＣＤ１２４及びＲＯＭ（Read Only Memory）１２６を備えている。
【００２３】
操作部１０２には、電源スイッチやレリーズスイッチ、撮影モードスイッチなど、ユーザが映像信号記録装置１を操作するために必要な各種スイッチが含まれる。ユーザにより電源スイッチが押されると、図示省略されたバッテリから映像信号記録装置１の各種回路に電源ラインを通じて電源供給が行われる。ＣＰＵ１００は電源供給後、ＲＯＭ１２６にアクセスして制御プログラムを読み出してワークエリア（不図示）にロードし、ロードされた制御プログラムを実行することにより、映像信号記録装置１全体の制御を行う。
【００２４】
被写体からの光束は、撮影レンズ１０６、絞り１０８、シャッタ１１０を通過して固体撮像素子１１２の受光面で受光される。固体撮像素子１１２は、ベイヤ型画素配置を有する単板式カラーＣＣＤ（Charge Coupled Device）イメージセンサである。固体撮像素子１１２は、受光面上の各画素で結像した光学像を光量に応じた電荷として蓄積して、Ｒ（Red）、Ｇ（Green）、Ｂ（Blue）の撮像信号を生成して出力する。なお、固体撮像素子１１２は、ＣＣＤイメージセンサに限らず、ＣＭＯＳ（Complementary Metal Oxide Semiconductor）イメージセンサやその他の種類の撮影素子に置き換えられてもよい。固体撮像素子１１２はまた、補色系フィルタを搭載したものであってもよい。
【００２５】
信号処理回路１１４は、固体撮像素子１１２から入力された撮像信号に対して増幅処理やＡ／Ｄ変換等の所定の信号処理を施す。画像処理エンジン１１６は、信号処理回路１１４から入力された撮像信号に対して、マトリクス演算、Ｙ／Ｃ分離、ホワイトバランス等の所定の画像処理を施して輝度信号Ｙ、色差信号Ｃｂ、Ｃｒを生成する。バッファメモリ１１８は、画像処理エンジン１１６による処理の実行時、処理データの一時的な保存場所として用いられる。
【００２６】
画像処理エンジン１１６は、生成された輝度信号Ｙ、色差信号Ｃｂ、Ｃｒをフレームメモリ（不図示）にフレーム単位でバッファリングする。画像処理エンジン１１６は、バッファリングされた信号を所定のタイミングで各フレームメモリから掃き出して所定のフォーマットの映像信号に変換し、ＬＣＤ制御回路１２２に出力する。ＬＣＤ制御回路１２２は、画像処理エンジン１１６より入力される映像信号を基にＬＣＤ１２４を変調制御する。これにより、被写体の画像（被写体像）がＬＣＤ１２４に表示される。ユーザは、ＬＣＤ１２４を通して、被写体のリアルタイムのスルー画（ライブビュー）を視認することができる。
【００２７】
ＣＰＵ１００は、例えば、固体撮像素子１１２により撮像されたライブビューに基づいて計算された測光値に基づき適正露出が得られるように、絞り・シャッタ駆動回路１０４を介して絞り１０８及びシャッタ１１０を駆動制御する。より詳細には、絞り１０８及びシャッタ１１０の駆動制御は、プログラムＡＥ、シャッタ優先ＡＥ、絞り優先ＡＥなど、撮影モードスイッチにより指定されるＡＥ機能に基づいて行われる。なお、シャッタ１１０には、機械式シャッタや電子式シャッタ等が使用される。機械式シャッタは静止画像の撮影時に使用され、動画画像の撮影時（動画撮影時）には使用されない。動画画像の撮影時には電子式シャッタが使用される。
【００２８】
また、ＣＰＵ１００はＡＥ制御と併せてＡＦ制御を行う。ＡＦ制御には、アクティブ方式、位相差検出方式、コントラスト検出方式等が適用される。また、ＡＦモードには、中央一点の測距エリアを用いた中央一点測距モード、複数の測距エリアを用いた多点測距モード等がある。ＣＰＵ１００は、ＡＦ結果に基づいてレンズ駆動回路１０３を介して撮影レンズ１０６を駆動制御し、撮影レンズ１０６の焦点を調整する。なお、この種のＡＥ及びＡＦの構成及び制御については周知であるため、ここでの詳細な説明は省略する。
【００２９】
操作部１０２に対して動画撮影の開始指示が入力されると、エンコーダ１１９は生成処理を実行する。生成処理では、エンコーダ１１９が画像処理エンジン１１６より順次入力される映像信号をＭＰＥＧ２（Moving Picture Experts Group 2）等の所定のフォーマットで圧縮等して動画データを生成する。生成された動画データは、カード用インタフェース１２０を介してメモリカード２００（又は、映像信号記録装置１に備えられる不図示の内蔵メモリ）に記録される。なお、動画データの規格はＭＰＥＧ２に限らず、例えば、ＭＰＥＧ４であってもよい。
【００３０】
操作部１０２に対して動画データの再生指示が入力されると、デコーダ１２１は、再生指示によって指定された動画データをメモリカード２００又は内蔵メモリより読み出して所定のフォーマットの映像信号に変換し、ＬＣＤ制御回路１２２に出力する。ＬＣＤ制御回路１２２がデコーダ１２１より入力される映像信号を基にＬＣＤ１２４を変調制御することで、被写体の映像（動画）がＬＣＤ１２４に表示される。
【００３１】
次に、映像信号記録装置１の動画撮影について、フローチャートを用いて詳細に説明する。動画撮影では、動画データの生成処理及びメモリカード２００等への記録処理が実行される。図２は、映像信号記録装置１で実行される処理の内、動画撮影の開始から終了までの処理に関するフローチャートである。なお、図２に示されるフローチャートは、映像信号記録装置１のメインフローと並列に動作するサブルーチンとして実行されてもよい。
【００３２】
操作部１０２に対して動画撮影の開始指示が入力されると、エンコーダ１１９は、動画データの生成処理を実行する（処理ステップＳ１）。図３は、映像信号記録装置１の動画撮影（生成処理、記録処理）のタイミングを説明するための図である。
【００３３】
図３（ａ）は、映像信号記録装置１に入力される指示信号を示す波形図である。波形図がハイの状態にあるとき映像信号記録装置１には動画撮影の実行が指示されていることを示し、波形図がローの状態にあるとき映像信号記録装置１は動画撮影の実行が指示されていないことを示す。動画撮影の開始及び停止は、操作部１０２に対する入力によって指示される。図３（ａ）に示される波形図では、時刻Ｔ＝Ｔ１に動画撮影の停止指示が入力されている。
【００３４】
図３（ｂ）は、各フレームに対応する映像信号ＭＳを示す。エンコーダ１１９は、動画撮影の実行が指示されている間、画像処理エンジン１１６より順次入力される映像信号ＭＳに対して圧縮処理を施して動画画像データを生成し、順次生成される動画画像データを所定の記録単位毎に区切り、所定の記録単位に区切られた動画画像データ群を動画単位データ（ＧＯＰデータ）として生成する。
【００３５】
図３（ｃ）は、メモリカード２００等に記録される動画データを示している。図３（ｃ）の例では、動画データは複数のＧＯＰ（ＧＯＰ１、ＧＯＰ２、ＧＯＰ３、ＧＯＰ４）データを含んでいる。これら複数のＧＯＰデータは、メモリカード２００等に順次記録される。ＧＯＰデータのメモリカード２００等への記録処理には所定の時間を要する。そのため、エンコーダ１１９が映像信号ＭＳに対して圧縮処理を施してＧＯＰデータを生成するタイミング（図３（ｂ）参照）と、ＧＯＰデータがメモリカード２００等に記録されるタイミング（図３（ｃ）参照）との間には時間差が生じる。
【００３６】
１つのＧＯＰデータに含まれる動画画像データの数は、圧縮に使用されるフォーマットや圧縮パラメータによって異なる。本実施形態では、１つのＧＯＰデータに含まれる動画画像データの数が１５（すなわち１５フレーム分）であり、映像信号のフレームレートは３０ｆｐｓ（frames per second）である。そのため、１つのＧＯＰデータに対応する動画の長さは約０．５秒となる。
【００３７】
また、処理ステップＳ１では、エンコーダ１１９による動画撮影（ＧＯＰデータ（動画画像データ）の生成処理）が実行中である旨がユーザに報知される。
【００３８】
図４は、動画撮影が開始される前のＬＣＤ１２４の表示画面例を示している。図４に示されるように、ＬＣＤ１２４には、動画撮影の開始前、構図確認等のためにライブビューが表示される。操作部１０２に対して動画撮影の開始指示が入力されると、エンコーダ１１９はＧＯＰデータの生成処理を開始する。
【００３９】
図５は、ＧＯＰデータの生成処理の実行中におけるＬＣＤ１２４の表示画面例を示している。図５に示されるように、ＬＣＤ１２４には、エンコーダ１１９によるＧＯＰデータの生成処理の実行中も引き続き、ライブビューが表示される。また、ＬＣＤ１２４には、ライブビューに重畳して、動画撮影中（ＧＯＰデータの生成処理が実行中）である旨を報知するマークＳｔ１が点滅して表示される。ユーザは、マークＳｔ１を視認することにより、動画撮影中（ＧＯＰデータの生成処理が実行中）であることを把握することができる。また、ＬＣＤ１２４には、ライブビューに重畳して、動画撮影時間（ＧＯＰデータの生成処理の実行時間）Ｓｔ２が表示される。
【００４０】
処理ステップＳ２では、ＣＰＵ１００により、操作部１０２に対して動画撮影の停止指示が入力されたか否かが判定される。動画撮影の停止指示が入力されていないと判定された場合（Ｓ２：ＮＯ）、処理ステップＳ１に戻り、エンコーダ１１９はＧＯＰデータの生成処理を継続する。処理ステップＳ２において、動画撮影の停止指示が入力されたと判定された場合（Ｓ２：ＹＥＳ）、処理ステップＳ３に進む。
【００４１】
処理ステップＳ３では、操作部１０２が動画撮影の停止指示を受け付けた旨がユーザに報知される。図６は、動画撮影の停止指示が入力された後のＬＣＤ１２４の表示画面例を示している。動画撮影の停止指示が入力されると、ＬＣＤ１２４上に表示されているマークＳｔ１の表示形態が点滅から点灯に切り替わる。本実施形態では、マークＳｔ１の表示形態が点灯に切り替わることが、動画撮影の停止指示を受け付けたことを示している。また、点灯して表示されるマークＳｔ１は、点滅して表示されるマークＳｔ１同様に、動画撮影中（ＧＯＰデータの生成処理が実行中）であることを示している。そのため、ユーザは、点灯しているマークＳｔ１を視認することにより、操作部１０２を介して動画撮影の停止指示が受け付けられているものの、いまだ動画撮影中（ＧＯＰデータの生成処理が実行中）であることを把握することができる。そのため、例えば、ユーザが操作部１０２に対して動画撮影の停止指示を入力した後に、映像信号記録装置１を動かしてしまい、意図しない動画画像データが生成及び記録されてしまうことを防止できる。なお、操作部１０２が動画撮影の停止指示を受け付けた後も、いまだ動画撮影中であるため、ＬＣＤ１２４には動画撮影時間Ｓｔ２が引き続き表示される。
【００４２】
処理ステップＳ４では、ＣＰＵ１００により、エンコーダ１１９によるＧＯＰデータの生成処理が完了したか否かが判定される。ＧＯＰデータの生成処理が完了していないと判定された場合（Ｓ４：ＮＯ）、処理ステップＳ３に戻る。ＧＯＰデータの生成処理が完了したと判定された場合（Ｓ４：ＹＥＳ）、処理ステップＳ５に進む。
【００４３】
エンコーダ１１９によるＧＯＰデータの生成処理の完了について、図３を用いて説明する。動画撮影の停止指示が入力された時刻Ｔ＝Ｔ１の時点で、エンコーダ１１９は映像信号ＭＳ１に対して圧縮処理を施して動画画像データを生成している。エンコーダ１１９は、映像信号ＭＳ１に対応する動画画像データを含むＧＯＰデータ（ＧＯＰ４）の生成に必要な数の動画画像データが揃うまで、画像処理エンジン１１６より入力される映像信号ＭＳを用いて動画画像データの生成処理を継続する。エンコーダ１１９は、必要な数の動画画像データが生成された時点で新たな動画画像データの生成を停止すると共にＧＯＰデータ（ＧＯＰ４）生成する。図３の例では、ＧＯＰデータ（ＧＯＰ４）の生成処理の完了は、動画データの生成処理の完了と同義である。そのため、エンコーダ１１９によるＧＯＰ４の生成処理が完了すると（時刻Ｔ＝Ｔ２）、動画データの生成処理が完了したと判定される。なお、動画撮影の停止指示は、ＧＯＰの区切りに対してランダムに入力される。そのため、時刻Ｔ＝Ｔ１から時刻Ｔ＝Ｔ２までの時間間隔は、最大で１ＧＯＰに対応する動画の長さ（約０．５秒）となる。
【００４４】
処理ステップＳ５では、動画データ（より詳細には、動画データを構成する最後のＧＯＰデータ）の生成処理が完了した旨及び映像信号記録装置１のビジー状態がユーザに報知される。図７は、動画データの生成処理が完了した後のＬＣＤ１２４の表示画面例を示している。動画データの生成処理が完了すると、マークＳｔ１及び動画撮影時間Ｓｔ２は非表示となる。これにより、ユーザは、動画データの生成処理が完了したことを把握することができる。また、動画データの生成処理が完了すると、ＬＣＤ１２４には、映像信号記録装置１がビジー状態であることを示すマークＳｔ３が表示される。ＬＣＤ１２４にマークＳｔ３が表示されている間、映像信号記録装置１は、ＧＯＰデータのメモリカード２００等への記録処理を実行している。上述したように、ＧＯＰデータのメモリカード２００等への記録処理には所定の時間を要する。そのため、最後のＧＯＰデータ（ＧＯＰ４）の生成処理の完了後であっても、生成された全てのＧＯＰデータの記録処理が完了するまで（時刻Ｔ＝Ｔ３まで）は、映像信号記録装置１はビジー状態となる。
【００４５】
処理ステップＳ６では、映像信号記録装置１のビジー状態が解除されたか否かが判定される。映像信号記録装置１がＧＯＰデータの記録処理やその他の処理を実行中でビジー状態である場合（Ｓ６：ＮＯ）、処理ステップＳ５に戻る。映像信号記録装置１が記録処理やその他の処理を完了させて映像信号記録装置１のビジー状態が解除されると（Ｓ６：ＹＥＳ）、処理ステップＳ７に進む。処理ステップＳ７では、マークＳｔ３が非表示となり、ビジー状態である旨の報知が終了する。
【００４６】
以上説明したように、本実施形態では、エンコーダ１１９がＧＯＰデータの生成処理を実行している間、ＬＣＤ１２４に、動画撮影中（ＧＯＰデータの生成処理が実行中）であることを示すマークＳｔ１が表示される。そのため、ユーザは、マークＳｔ１を視認することにより、動画撮影中であることを把握できる。
【００４７】
また、本実施形態では、操作部１０２に対して動画撮影の停止指示が入力されると、該停止指示が入力された時点で生成されている動画画像データを含むＧＯＰデータの生成に必要な数の動画画像データが揃うまで、エンコーダ１１９に入力される映像信号ＭＳを用いた動画画像データの生成処理が継続される。そのため、特許文献１に記載の映像信号記録装置のように、動画の最後が静止画像となってしまい、ユーザが動画に対して違和感を覚えてしまうことを防止できる。
【００４８】
また、本実施形態では、マークＳｔ１は、エンコーダ１１９によるＧＯＰデータの生成処理が完了するまで表示され、且つ、動画撮影の停止指示の入力の前後で表示形態が変更される。そのため、ユーザは、表示形態が変更されたマークＳｔ１を視認することにより、動画撮影の停止指示が入力されているか否か及び動画撮影中（ＧＯＰデータの生成処理が実行中）であるか否かを把握できる。これにより、例えば、動画撮影の停止指示が入力された後にも、最後のＧＯＰデータの生成に必要な動画画像データが揃うまで動画画像データの生成が継続するにも拘らず、ユーザが映像信号記録装置１を動かしてしまい、意図しない動画画像データが生成及び記録されてしまうことを防止できる。
【００４９】
（変形例）
上記の実施形態では、操作部１０２に対して動画撮影の停止指示が入力されると、停止指示が入力された時点で生成されている動画画像データを含むＧＯＰデータの生成に必要な数の動画画像データが揃うまで、エンコーダ１１９に入力される映像信号ＭＳを用いた生成処理が継続されるが、本発明に係る実施の形態はこれに限定されない。上記の実施形態の変形例では、ユーザが操作部１０２に対して所定の動作選択操作を行うことにより、映像信号記録装置１が動画撮影の停止指示を受け付けた場合の動作を選択可能であってもよい。詳しくは、映像信号記録装置１は、動画撮影の停止指示を受け付けた時刻Ｔ＝Ｔ１からＧＯＰデータの生成に必要な数の動画画像データが揃うまでの時刻Ｔ＝Ｔ２までの間に対応する動画データを動画として記録する動作モード（以下、「動画記録モード」と記す。）と静止画像として記録する動作モード（以下、「静止画記録モード」と記す。）とを有している。動画記録モードは、上記の実施形態に記載の動作に対応する。映像信号記録装置１をどちらの動作モードで動作させるかは、ユーザによって選択可能である。
【００５０】
本変形例において、ユーザが映像信号記録装置１の動作モードとして、静止画記録モードを選択している場合におけるＧＯＰデータの生成処理の完了について、図３を用いて説明する。動画撮影の停止指示が入力された時刻Ｔ＝Ｔ１の時点で、エンコーダ１１９は映像信号ＭＳ１に対して圧縮処理を施して動画画像データを生成している。本変形例では、動画撮影の停止指示が入力されると、エンコーダ１１９は映像信号ＭＳ１に対応する動画画像データを保持し、この動画画像データを含むＧＯＰデータ（ＧＯＰ４）の生成に必要な数の動画画像データが揃うまで、保持された動画画像データを複製し続ける。そのため、本変形例において生成された動画データの再生処理を行う場合、動画の最後（図３（ｂ）における時刻Ｔ＝Ｔ１から時刻Ｔ＝Ｔ２までの期間に対応する箇所）は、保持された動画画像データに対応する静止画像となる。
【００５１】
また、本変形例における静止画記録モードでは、ＧＯＰデータの生成処理が実行中であり且つ動画撮影の停止指示が入力されていない場合、ＬＣＤ１２４には、上記の実施形態と同様に、マークＳｔ１が点滅して表示される。また、動画撮影の停止指示が入力されると、マークＳｔ１は非表示となり、映像信号記録装置１がビジー状態であることを報知するマークＳｔ３が表示される。映像信号記録装置１は、マークＳｔ３が表示されている間、保持された動画画像データを必要数複製してＧＯＰデータ（ＧＯＰ４）を生成し、全てのＧＯＰデータの記録処理を完了させる。
【００５２】
本変形例における静止画記録モードでは、操作部１０２に対して動画撮影の停止指示が入力された後のＧＯＰデータの生成処理において、保持されている動画画像データが必要数複製されており、新たな動画画像データの生成が行われない。そのため、ユーザが停止指示を入力した直後に映像信号記録装置１を動かしたとしても、ユーザの意図しない動画画像データが生成及び記録されてしまうことを防止できる。
【００５３】
本変形例では、映像信号記録装置１の動作モードは、ユーザによる選択操作に応じて動作記録モードと静止画記録モードとの間で切り替えられる。そのため、ユーザは、動画撮影の環境に応じて適した動作モードを選択することができる。動画記録モードは、例えば、動画データに静止画像データが含まれてしまうことを避ける場合や、映像信号記録装置１が三脚等に固定されており、動画撮影の停止指示が入力された直後に映像信号記録装置１が動かされる可能性が低い場合に選択される。動画記録モードで記録された動画には、静止画像が含まれないため、ユーザが動画に対して違和感を覚えることを防止できる。
【００５４】
静止画記録モードは、例えば、映像信号記録装置１がユーザの手で保持されて動き易い状態である場合や、ユーザが動画撮影の停止処理の入力後に速やかに別の動作を行いたい場合に選択される。このように、動作モードを選択可能とすることにより、映像信号記録装置１の利便性を向上することができる。
【００５５】
以上が本発明の例示的な実施形態の説明である。本発明の実施形態は、上記に説明したものに限定されず、本発明の技術的思想の範囲において様々な変形が可能である。例えば、明細書中に例示的に明示される実施形態等又は自明な実施形態等を適宜組み合わせた内容も本願の実施形態に含まれる。
【００５６】
例えば、上記の実施形態では、動画撮影の開始指示が入力され、エンコーダ１１９によるＧＯＰデータの生成処理が開始されると、ＬＣＤ１２４には動画撮影中（ＧＯＰデータの生成処理が実行中）である旨を報知するマークＳｔ１が点滅して表示され、動画撮影の停止指示が入力されると、マークＳｔ１の表示形態が点滅から点灯に切り替わるが、本発明に係る実施の形態はこれに限定されない。マークＳｔ１は、例えば、ＧＯＰデータの生成処理の実行中に動画撮影の停止指示が入力されているか否かが把握できるように表示されていればよい。一例として、マークＳｔ１は、エンコーダ１１９によるＧＯＰデータの生成処理が開始されると点灯して表示され、動画撮影の停止指示が入力されると、表示形態が点灯から点滅に切り替わってもよい。
【００５７】
また、上記の本実施形態では、動画撮影中（ＧＯＰデータの生成処理が実行中）であるか否か及び動画撮影の停止指示が入力されたか否かは、ＬＣＤ１２４に表示されるマークＳｔ１によって報知されるが、本発明に係る実施の形態はこれに限定されない。例えば、映像信号記録装置１はＬＥＤ（Light Emitting Diode）を備え、ＬＥＤの発光パターンを切り替えることにより、動画撮影中（ＧＯＰデータの生成処理が実行中）であるか否か及び動画撮影の停止指示が入力されたか否かを報知してもよい。詳しくは、エンコーダ１１９によるＧＯＰデータの生成処理が開始されると、ＬＥＤが点滅して発光し、操作部１０２に対して動画撮影の停止指示が入力されると、ＬＥＤの発光パターンが点滅から点灯に切り替えられる。また、動画撮影の停止指示が入力されると、ＬＥＤの発光パターンが切り替えられる代わりに、ＬＥＤの発光色が切り替えられてもよい。
【００５８】
映像信号記録装置１では、１ＧＯＰに対応する動画の長さが０．５秒である場合、動画撮影の停止指示が入力されてからＧＯＰデータの生成処理が完了するまでの時間は、約０秒から約０．５秒の間で変動する。そのため、マークＳｔ１の表示形態が点滅から点灯に切り替わってから、非表示となるまでの時間も約０秒から約０．５秒の間で変動する。しかし、本発明に係る実施の形態はこれに限定されない。マークＳｔ１は、動画撮影の停止指示が入力されると表示形態が点滅から点灯に切り替えられ、所定の期間、点灯した状態で表示されてもよい。詳しくは、１ＧＯＰに対応する動画の長さが０．５秒である場合、マークＳｔ１が点灯して表示される時間は０．５秒に固定されていてもよい。マークｓｔ１の点灯表示時間を一律に制御することにより、かかる点灯制御に関する映像信号記録装置１の処理負荷を抑えつつ、ユーザの意図しない動画画像データが生成及び記録されてしまうことをより確実に防止できる。
【符号の説明】
【００５９】
１  映像信号記録装置
１００  ＣＰＵ
１０２  操作部
１０３  レンズ駆動回路
１０４  絞り・シャッタ駆動回路
１０６  撮影レンズ
１０８  絞り
１１０  シャッタ
１１２  固体撮像素子
１１４  信号処理回路
１１６  画像処理エンジン
１１８  バッファメモリ
１１９  エンコーダ
１２０  カード用インタフェース
１２１  デコータ
１２２  ＬＣＤ制御回路
１２４  ＬＣＤ
１２６  ＲＯＭ
【図１】
0006376456.tif 000002
【図２】
0006376456.tif 000003
【図３】
0006376456.tif 000004
【図４】
0006376456.tif 000005
【図５】
0006376456.tif 000006
【図６】
0006376456.tif 000007
【図７】
0006376456.tif 000008